【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
規則正しく離間されるコード記号から構成される符号化パターンの印刷をコンピュータによって実現する方法であって、
前記符号化パターンのデジタル表現を取り出すステップと、
前記コード記号の相互に一意のグループのセットを表現するために文字のセットを割り当てる文字定義セットを取り出すステップと、
前記符号化パターンの中の対応するグループの位置を特定するために、前記デジタル表現に対照して相互に一意のグループの前記セットをマッピングするステップと、
前記対応するグループのそれぞれがその割り当てられた文字によって表現されるページ記述コードを生成するステップと、
前記ページ記述コードを印刷可能な画像に変換するように適応されるプリンタに、前記ページ記述コードを転送するステップと、
を含む方法。
【請求項２】
転送する前記ステップが、前記文字定義セットを前記プリンタに転送することを含む請求項１記載の方法。
【請求項３】
生成する前記ステップが、ページ記述コードの中に前記文字定義セットを組み込むことを含む請求項１または２記載の方法。
【請求項４】
文字定義セットを取り出す前記ステップがフォント定義を取り出すことを含む請求項１、２、または３記載の方法。
【請求項５】
前記フォント定義がアウトラインフォントを定義する請求項４記載の方法。
【請求項６】
前記フォント定義がビットマップフォントを定義する請求項４記載の方法。
【請求項７】
前記文字定義セットが符号化パターンの中のそれぞれの一意の個別コード記号を表現するために第二の文字のセットを割り当て、
前記ページ記述コードを生成する前記ステップが、印刷されるべき前記符号化パターンの一の次元の記号の数と前記グループの対応する次元のコード記号の数が相対的な素であることが判明すると、その対応する第二の文字によって少なくとも一つのコード記号を表現することを含む請求項１〜６のいずれか一項記載の方法。
【請求項８】
前記生成するステップが、テキストファイル、Ｐｏｓｔｓｃｒｉｐｔファイルまたはプリンタ制御言語ファイルとして、ページ記述コードを生成することを含む請求項１〜７のいずれか一項記載の方法。
【請求項９】
各コード記号が前記デジタル表現の中のそれぞれの符号化値で表現される請求項１〜８のいずれか一項記載の方法。
【請求項１０】
複数の前記符号化値がともに一つの位置を符号化する請求項９記載の方法。
【請求項１１】
各符号化値が複数の位置の符号化で貢献する請求項９または１０記載の方法。
【請求項１２】
各符号化値が前記コード記号の所定の区別できるグラフィック状態を表現する請求項９、１０または１１記載の方法。
【請求項１３】
各コード記号が符号マークと関連空間基準点を備え、
前記状態が
その関連空間基準点に関する前記符号マークの変位の大きさと、
その関連空間基準点に関する前記符号マークの変位の方向と、
前記符号マークの形状と、
前記符号マークのサイズと、
前記符号マークの色と、
その任意の組み合わせと、
のいずれかの特徴によって表現される請求項１２記載の方法。
【請求項１４】
前記空間基準点が前記符号化パターンの中で規則正しく離間される請求項１３記載の方法。
【請求項１５】
規則正しく離間されるコード記号から構成される符号化パターンの印刷をコンピュータで実現する方法であって、
前記符号化パターンのデジタル表現を取り出すステップと、
前記符号化パターンのそれぞれの一意のコード記号を表現するために一意のフォント文字を割り当てるフォント定義を取り出すステップと、
前記デジタル表現の中で前記一意のコード記号を特定するステップと、
前記特定されたコード記号のそれぞれがその割り当てられたフォント文字によって表現されるページ記述コードを生成するステップと、
前記ページ記述コードを印刷可能な画像に変換するように適応されるプリンタに、前記ページ記述コードを転送するステップと、
を含む方法。
【請求項１６】
コンピュータに請求項１〜１５のいずれか一項による前記方法を実行させるためのプログラム命令を備えるコンピュータプログラム。
【請求項１７】
記録媒体で具現化される請求項１６記載のコンピュータプログラム。
【請求項１８】
コンピュータメモリに記憶される請求項１６記載のコンピュータプログラム。
【請求項１９】
読取専用メモリで具現化される請求項１６記載のコンピュータプログラム。
【請求項２０】
電気キャリア信号で伝搬される請求項１６記載のコンピュータプログラム。
【請求項２１】
規則正しく離間されるコード記号から構成される符号化パターンの印刷を実現するための装置であって、
前記符号化パターンのデジタル表現を取り出すための手段と、
前記コード記号の相互に一意のグループのセットを表現するために、文字のセットを割り当てる文字定義セットを取り出すための手段と、
前記符号化パターンの中で対応するグループの前記位置を特定するために、前記表現に対照して相互に一意のグループの前記セットをマッピングするための手段と、
前記対応するグループのそれぞれがその割り当てられた文字で表現されるページ記述コードを生成するための手段と、
前記ページ記述コードを印刷可能な画像に変換するように適応されるプリンタへの転送のために前記ページ記述コードを出力するための手段と、
を備える装置。
【請求項２２】
前記出力するための手段が、前記プリンタへの転送のために前記文字定義セットを出力するように構成される請求項２１記載の装置。
【請求項２３】
前記生成するための手段が、ページ記述コードの中に前記文字定義セットを組み込むように構成される請求項２１または２２記載の装置。
【請求項２４】
前記文字定義セットを取り出すための手段がフォント定義を取り出すように構成される請求項２１、２２、または２３記載の装置。
【請求項２５】
前記フォント定義がアウトラインフォントを定義する請求項２４記載の装置。
【請求項２６】
前記フォント定義がビットマップフォントを定義する請求項２４記載の装置。
【請求項２７】
前記文字定義セットが符号化パターンの中のそれぞれの一意の個別コード記号を表現するために第二の文字のセットを割り当て、
前記ページ記述コードを生成するための手段が、印刷されるべき前記符号化パターンの一の次元の記号の数と前記グループの対応する次元のコード記号の数が相対的な素であることが判明すると、その対応する第二の文字によって少なくとも一つのコード記号を表現するように構成される請求項２１〜２６のいずれか一項記載の装置。
【請求項２８】
前記生成するための手段が、テキストファイル、Ｐｏｓｔｓｃｒｉｐｔファイルまたはプリンタ制御言語ファイルとして、ページ記述コードを生成するように構成される請求項２１〜２７のいずれか一項記載の装置。
【請求項２９】
各コード記号が前記デジタル表現の中のそれぞれの符号化値で表現される請求項２１〜２８のいずれか一項記載の装置。
【請求項３０】
複数の前記符号化値がともに一つの位置を符号化する請求項２９記載の装置。
【請求項３１】
各符号化値が複数の位置の符号化で貢献する請求項２９または３０記載の装置。
【請求項３２】
各符号化値が前記コード記号の所定の区別できるグラフィック状態を表現する請求項２９、３０または３１記載の装置。
【請求項３３】
各コード記号が符号マークと関連空間基準点を備え、
前記状態が
その関連空間基準点に関する前記符号マークの変位の大きさと、
その関連空間基準点に関する前記符号マークの変位の方向と、
前記符号マークの形状と、
前記符号マークのサイズと、
前記符号マークの色と、
その任意の組み合わせと、
のいずれかの特徴によって表現される請求項３２記載の装置。
【請求項３４】
前記空間基準点が前記符号化パターンの中で規則正しく離間される請求項３３記載の装置。
【請求項３５】
規則正しく離間されるコード記号から構成される符号化パターンの印刷を実現するための装置であって、
前記符号化パターンのデジタル表現を取り出すための手段と、
前記符号化パターンの各一意のコード記号を表現するために、一つの一意のフォント文字を割り当てるフォント定義を取り出すための手段と、
前記デジタル表現の中の前記一意のコード記号を特定するための手段と、
前記このようにして特定されたコード記号のそれぞれがその割り当てられたフォント文字によって表現されるページ記述コードを生成するための手段と、
前記ページ記述コードを印刷可能な画像に変換するように適応されるプリンタへの転送のために前記ページ記述コードを出力するための手段と、
を備える装置。